(57)【特許請求の範囲】
【請求項１】
車両用シートのスライドレール機構を構成する固定レールと可動レールとのうち、一方のレール側に配設された磁気式検出器と、他方のレール側に配設された被検出体とを備えて前記車両用シートのスライド状態を検出する車両用シートのスライド検出装置において、
前記磁気式検出器が配設される一方のレール側には、前記磁気式検出器を覆って保護する保護カバーが配設され、
前記保護カバーは、前記磁気式検出器の側方を覆う側カバー部と、前記磁気式検出器の検出部を覆う検出部用カバー部とを一体に備え、
前記検出部用カバー部の先端部分には、前記他方のレールの側壁面に摺接可能に接触するリップ状の接触部が形成され、
前記検出部用カバー部の接触部は、前記被検出体の一部に接触しかつ弾性変形しながら前記被検出体の一部を乗り越え可能なゴム材によって形成されていることを特徴とする車両用シートのスライド検出装置における保護カバー構造。
【発明の詳細な説明】
【技術分野】
【０００１】
この発明は車両用シートのスライド検出装置における保護カバー構造に関する。
【背景技術】
【０００２】
車両用シートのスライド検出装置における保護カバー構造においては、例えば、特許文献１に開示されているように、一方のレール側に装着される磁気式検出器に保護カバーを取り付け、磁気式検出器に対する磁性体異物の付着を防止するようにしたものが知られている。
【先行技術文献】
【特許文献】
【０００３】
【特許文献１】特許第４１６７１３９号公報
【発明の概要】
【発明が解決しようとする課題】
【０００４】
ところで、特許文献１に開示されたものにおいては、保護カバーの側カバー部の下端部と、他方のレールの側壁面との間には隙間が存在する。このため、前記隙間から磁性体異物が不測に侵入して磁気式検出器に付着することで、誤検知を招く恐れがある。
【０００５】
この発明の目的は、前記問題点に鑑み、磁気式検出器に対する磁性体異物の付着を良好に防止することができる車両用シートのスライド検出装置における保護カバー構造を提供することである。
【課題を解決するための手段】
【０００６】
前記課題を解決するために、この発明の請求項１に係る車両用シートのスライド検出装置における保護カバー構造は、車両用シートのスライドレール機構を構成する固定レールと可動レールとのうち、一方のレール側に配設された磁気式検出器と、他方のレール側に配設された被検出体とを備えて前記車両用シートのスライド状態を検出する車両用シートのスライド検出装置において、
前記磁気式検出器が配設される一方のレール側には、前記磁気式検出器を覆って保護する保護カバーが配設され、
前記保護カバーは、前記磁気式検出器の側方を覆う側カバー部と、前記磁気式検出器の検出部を覆う検出部用カバー部とを一体に備え、
前記検出部用カバー部の先端部分には、前記他方のレールの側壁面に摺接可能に接触するリップ状の接触部が形成され、
前記検出部用カバー部の接触部は、前記被検出体の一部に接触しかつ弾性変形しながら前記被検出体の一部を乗り越え可能なゴム材によって形成されていることを特徴とする。
【０００７】
前記構成によると、保護カバーの側カバー部と検出部用カバー部によって、磁気式検出器の側方及び検出部を覆うことによって、磁気式検出器に対する磁性体異物の付着を良好に防止することができる。
特に、検出部用カバー部の先端部分に形成されたリップ状の接触部が他方のレールの側壁面に摺接可能に接触することで、保護カバーと、他方のレールの側壁面との間を良好に塞ぐことができるため、磁気式検出器に対する磁性体異物の付着防止に効果が大きい。
さらに、ゴム材によって形成された弾性変形可能な検出部用カバー部の接触部は、被検出体の一部に接触しかつ弾性変形しながら乗り越える。このため、検出部用カバー部の接触部が被検出体の一部に衝突して損傷される不具合が生じない。
【図面の簡単な説明】
【００１０】
【図１】この発明の実施例１に係る車両用シートのスライドレール機構に対しスライド検出装置の磁気式検出器と保護カバーとが組み付けられる前の分離状態を示す斜視図である。
【図２】同じく車両用シートのスライドレール機構に対しスライド検出装置の磁気式検出器と被検出体と保護カバーとがそれぞれ装着された状態を示す側面図である。
【図３】同じく保護カバーを示す側面図である。
【図４】同じく図３のＩＶ−ＩＶ線に沿う保護カバーの縦断面図である。
【図５】同じく図３のＶ−Ｖ線に沿う保護カバーの縦断面図である。
【図６】同じく図３のＶＩ−ＶＩ線に沿う保護カバーの縦断面図である。
【図７】同じく図３のＶＩＩ−ＶＩＩ線に沿う保護カバーの平断面図である。
【発明を実施するための形態】
【００１１】
この発明を実施するための形態について実施例にしたがって説明する。
【実施例１】
【００１２】
この発明の実施例１に係る車両用シートのスライド検出装置における保護カバー構造を図面にしたがって説明する。
図１と図２に示すように、車両用シートのシートクッションフレーム２２の左右の両サイドパネル２３の下端部とフロアパネルとの間に配設されるスライドレール機構３０は、フロアパネル側に固定される固定レール（ロアレール）３１と、この固定レール３１に沿って前後方向へスライド可能に嵌挿されて組み付けられる可動レール（アッパレール）４１とを備えて構成される。
【００１３】
車両用シートのスライド検出装置は、固定レール３１と可動レール４１とのうち、一方のレールとしての可動レール４１側に磁気式検出器５１が配設され、他方のレールとしての固定レール３１側に鉄板等の磁性体よりなる被検出体５５が配設されている。
この実施例１において、図１と図２に示すように、可動レール４１の上板部が固定されるサイドパネル２３の下部折曲片２４上には、基板部７１と、側板部７２と、上板部７３とを有して横断面Ｚ字状をなすブラケット７０が、その基板部７１においてボルト等によって前後方向へ位置調整可能に締め付け固定されている。
そして、ブラケット７０の側板部７２には、取付ボルト８０によって磁気式検出器５１が位置決めされて固定されている。
また、この実施例１において、ブラケット７０の側板部７２の前後方向一端には、次に述べる保護カバー６０を締付固定するための平断面逆Ｌ字状の取付片７４が左右方向へ突出して形成されている。
【００１４】
一方、図１と図２に示すように、固定レール３１の一側部には、被検出体５５が装着されている。
この被検出体５５は、鉄板等の磁性体よりなり、固定レール３１の下面から側壁面に沿って横断面Ｌ字状に形成されて固定される取付部５６と、その取付部５６の上端から水平状に折り曲げ形成された被検出部５７とを有している。
そして、車両用シートが前側領域（前側位置）に配置された状態にあるときには、磁気式検出器５１によって被検出体５５の被検出部５７が検出され、後側領域（後側位置）に配置された状態にあるときには、磁気式検出器５１によって被検出体５５の被検出部５７が検出不能となるように設定されている。
【００１５】
図３と図４に示すように、保護カバー６０は、ブラケット７０の上板部７３の上方を覆う上カバー部６１と、磁気式検出器５１の側方を覆う側カバー部６２と、磁気式検出器５１の下部の検出部５２を覆う検出部用カバー部６３とを一体に備えている。
また、図５に示すように、保護カバー６０の上カバー部６１の一部には、ブラケット７０の側板部７２に沿って延出部６５が上向きに延出され、この延出部６５には、保護カバー６０の位置決めをなす筒状の位置決めピン６６が突設されている。
そして、保護カバー６０は、その位置決めピン６６がブラケット７０の側板部７４に貫設された位置決め孔に嵌挿された状態で、図７に示すように、ビス８５が側カバー部６２の取付孔を通してブラケット７０の取付片７４にねじ込まれる。これによって、保護カバー６０は、ブラケット７０に位置決めされて固定されるようになっている。
【００１６】
図４〜図６に示すように、保護カバー６０の検出部用カバー部６３の先端部分には、他方のレールとしての固定レール３１の側壁面に摺接可能に接触するリップ状の接触部６４が一体に形成されている。
この実施例１において、検出部用カバー部６３の接触部６４は、固定レール３１の側壁面に配置された被検出体５５の一部に接触しかつ弾性変形しながら被検出体５５の一部を乗り越え可能なゴム材によって形成されている。
また、保護カバー６０は、接触部６４以外の部分が接触部６４よりも硬質で剛性が高い合成樹脂材によって形成されている。
【００１７】
この実施例１に係る車両用シートのスライド検出装置における保護カバー構造は上述したように構成される。
したがって、車両用シートは、スライドレール機構３０の固定レール３１に沿って可動レール４１が前後方向へスライドされて位置調整される。
車両用シートが前側領域（前側位置）に配置された状態にあるときには、磁気式検出器５１の検出部５２によって被検出体５５の被検出部５７が検出される。
また、車両用シートが後側領域（後側位置）に配置された状態にあるときには、磁気式検出器５１の検出部５２によって被検出体５５の被検出部５７が検出不能となる。
【００１８】
磁気式検出器５１を覆う保護カバー６０は、磁気式検出器５１の側方及び下部の検出部５２を覆う側カバー部６２及び検出部用カバー部６３を有している。
これによって、磁気式検出器５１に対するクリップ、ヘアピン、鉄片等の磁性体異物の付着を良好に防止することができる。
【００１９】
特に、図４〜図６に示すように、保護カバー６０の検出部用カバー部６３の先端部分の接触部６４が固定レール３１の側壁面に摺接可能に接触することで、保護カバー６０と、固定レール３１の側壁面との間を良好に塞ぐことができる。このため、磁気式検出器５１に対する磁性体異物の付着防止に効果が大きい。
しかも、検出部用カバー部６３の接触部６４がゴム材によって形成され、被検出体５５の一部に接触状態を保って弾性変形しながら乗り越える。
このため、検出部用カバー部６３の接触部６４が被検出体５５の一部に衝突して損傷される不具合が生じないと共に、磁気式検出器５１に対する磁性体異物の付着防止に効果が大きい。
【００２０】
なお、この発明は前記実施例１に限定するものではなく、この発明の要旨を逸脱しない範囲内において、種々なる形態で実施することもできる。
【符号の説明】
【００２１】
３０  スライドレール機構
３１  固定レール
４１  可動レール
５１  磁気式検出器
５２  検出部
５５  被検出体
６０  保護カバー
６１  上カバー部
６２  側カバー部
６３  検出部用カバー部
６４  接触部
【図１】
0005670138.tif 000002
【図２】
0005670138.tif 000003
【図３】
0005670138.tif 000004
【図４】
0005670138.tif 000005
【図５】
0005670138.tif 000006
【図６】
0005670138.tif 000007
【図７】
0005670138.tif 000008